(57)【要約】      （修正有）【課題】官製葉書に貼り合わされた圧着カードを開封する際に剥離面の一部を破損しにくくした圧着カードを提供する。【解決手段】マットコート紙等の表裏の紙面のうち、片側を剥離面とし、剥離面の表層に接着材としてＵＶ硬化ニスを塗工し、紙面を二つ折りして官製葉書と同じような外形寸法となるように圧着してできあがる圧着カードのうち、剥離面全体に対して、網目状にこのＵＶ硬化ニスを塗工して圧着カードを構成する。さらに、網目の形状として、網の部分にこのニスを塗工し、目の部分にはこのニスを塗工せずに、剥離面を内側にして二つ折りし、対向する紙面同士をプレス加工して圧着カードを構成する。さらに、又、二つ折りした外側の面と官製葉書の紙面同士を接着材により貼り合せる。【選択図】図１
0003166640.tif 000002
【実用新案登録請求の範囲】
【請求項１】
図１の紙面２に接着材１を塗工し、折り目５で折り畳み、例えば加熱、加圧などにより中面を接着させるプレス加工を施した圧着カードのうち、接着材にＵＶ硬化ニスを用い、これを紙面２に対して例えば網の目状に塗工することにより中面の対抗面相互が接着する力を緩和するように施したもので、かつ、官製式圧着葉書の製造に用いられ、官製式圧着葉書の開封の際に中面のニス塗工された表層部分の一部が破損しにくくなったもの。
【考案の詳細な説明】
【技術分野】
【０００１】  本考案は、官製葉書に貼り合わされた圧着カードを開封する際に剥離面の一部を破損しにくくした圧着カードに関する。
【背景技術】
【０００２】印刷機を用いて紙面に印刷を施したものがある。【０００３】紙面に接着材を施し、これを２つ以上に折り畳み、加熱、加圧などのプレス加工により剥離可能な接着を施したものがある。
【考案の概要】
【考案の詳細な説明】
【０００４】本考案の詳細な説明を図１に基づいて説明する。
【０００５】官製式圧着葉書とは、官製葉書と圧着カードが剥離不可能な状態で接着され、一体化したものである。このことから、官製式圧着葉書は、単なる官製葉書と比べ、圧着カードによる紙面の増加が見られる。また、圧着カードの剥離可能な中面には秘匿された情報を掲載できる。このような特徴により、ダイレクトメールとして、あるいは、個人情報を含んだ通知として、その他、紙面が拡充されたことによる情報伝達能力を利用したあらゆる用途で利用可能である。更に、くじ付の官製葉書を利用することで、付加価値が増大することは言うまでもない。
【０００６】この官製式圧着葉書を構成している圧着カードは、紙面２を折り畳み、その中面に剥離可能な接着材として例えばＵＶ硬化ニスなどを利用し、プレス加工等で接着させたものである。仮に剥離可能な接着材としてＵＶ硬化ニスを用いた場合、官製式圧着葉書を開封した際に、塗工されているニスの一部が破損し、これにより、製品の美観を損なったり、視認性を悪くする品質不良が多発する。この破損を生じにくくする圧着カードについて考案する。
【考案が解決しようとする課題】
【０００７】本考案の課題について図１に基づいて説明する。
【０００８】官製式圧着葉書は、図の折り目５を境とし、６と７のそれぞれに質量差がある。６は、２のうち５を境とした左半分と、その上部に塗工された１から構成される。一方、７は、４の全部、２のうち５を境とした右半分、これら２つを貼り合せている３、以上からなる。従って、開封した官製式圧着葉書の７は、６と比較して、４と３を合わせた質量分の増加が見られる。
【０００９】要するに、圧着カードは、その片面に官製葉書を接着することで、５を境として６と７に質量差が生じている。そして、例えば、４の重量を２．８ｇ、１と２を合わせたもののうち、５を境とした左右のそれぞれを１．２ｇ、３を０．５ｇとすると、先の５を境とした左右の質量差は４．５ｇと１．２ｇの差となる。
【００１０】つまり、官製式圧着葉書を開封する際は、５を境として４．５ｇと１．２ｇの物質を引き離すことになるが、これは質量の対比からして、１．２ｇの物質に対して４倍近い４．５ｇの力が加わることを意味している。
【００１１】これが原因となり、１．２ｇの物質の表面に塗工されている１及び２の一部に破損現象が生じる。このことは、官製式圧着葉書の中面における美観を損なうだけでなく、視認性を悪くし、完成品質として不良と言える。
【００１２】前記のような破損を防ぐためには、５を境とした６と７の質量差によって６が受ける過大な張引力に対処する必要があり、そのためには、何らかの方法で張引力を適切に弱化しながらも、郵送中の秘匿状態を確かなものにしつつ、開封時には容易に剥離でき、かつ剥離面の破損が生じないようにした圧着カードが必要である。
【課題を解決するための手段】
【００１３】本考案の課題を解決するための手段ついて図に基づいて説明する。
【００１４】請求項１記載の考案は、「２に１を塗工し、５で折り畳み、例えば加熱、加圧などにより中面を接着させるプレス加工を施した圧着カードのうち、１にＵＶ硬化ニスを用い、これを２に対して例えば網の目状に塗工することにより、中面の対抗面相互が接着する力を緩和するように施したもので、かつ、官製式圧着葉書の製造に用いられ、官製式圧着葉書の開封の際に中面のニス塗工された表層部分の一部が破損しにくくなったもの」を要旨としている。
【００１５】図２の網の目状の接着材１は、２を折り畳んだ際の内側の表層上に形成される。２はプレス加工して圧着カードとなり、これを官製葉書に貼り合わせる。
【００１６】前記の内面は、網の目でない部分に接着材１が塗工されていないため、その部分は接着されず、結果として対向面同士の接着領域が相対的に小さくなり、張引力が緩和される。
【考案の効果】
【００１７】本考案の効果ついて図に基づいて説明する。
【００１８】本考案によれば、折り畳んだ圧着カードの中面には１が網の目状に塗工されている。従って、網の目でない部分には接着材１が塗工されていない。これは中面の全面に接着材を塗工した場合よりも圧着カード同士の接着領域が小さくなり、結果として対向面同士の接着力を弱化させることになる。
【００１９】これにより、官製式圧着葉書開封時の５を境とした６と７の質量差から起こる対向面同士にかかる引き剥がしの力が弱められ、ニス塗工表層部分が剥がれる現象を抑止することができ、中面における秘匿情報の劣化、破損が生じにくい良質な官製式圧着葉書の提供が可能となる。
【図面の簡単な説明】
【００２０】
【図１】剥離可能な接着材が網の目状に塗工され、折り目５で折りたたまれた紙面と、剥離不可能な接着材が塗工され、官製葉書と貼り合わされた官製式圧着葉書を開封した状態の側面図である。
【図２】剥離可能な接着材が網の目状に塗工され、折り目５で折りたたまれた紙面と、剥離不可能な接着材が塗工された官製葉書で、官製式圧着葉書の構造を示す鳥瞰図である。
【考案を実施するための形態】
【００２１】本考案の官製式圧着葉書及びこれの剥離面に塗工する接着材の実施例を図に基づいて説明する。
【００２２】２は、マットコート紙を使用する。また、２には縦に平行な１本の折り目５を有し、これにより１枚の用紙が葉書大の２片に区切られており、５を境に２片が折り畳まれるようになっている。
【００２３】２に塗工する１は、ＵＶ硬化ニスを使用し、塗工機器を用いて網の目状に塗工する。
【００２４】その後、２を５の折り目に沿って折り畳み、プレス機にて接着させ、これを圧着カードとする。ただし、前記で１を網の目状に塗工しているため、１が塗工されていない部分は接着されず、それだけ２同士の接着領域が小さくなり、接着力が緩和された状態である。
【００２５】前記の圧着カードと４は、３を用いて機器等により貼り合わされ、これを官製式圧着葉書とする。
【００２６】この官製式圧着葉書は、従来の官製葉書より紙面を拡大しながらも重量は６ｇ以内のため、郵便法の第二種郵便物に該当し、５０円で郵送が可能である。また、官製葉書には、くじつきのものがあるが、官製式圧着葉書に加工した後もくじは有効である。
【００２７】また、折り畳み、圧着された中面に記述された情報は開封するまで秘匿され、個人情報などの秘密情報を第三者に漏洩することなく宛名人に届けることが可能となる。結果として、差出人は、官製葉書と圧着カード双方の利点を得ることができる。
【００２８】なお、本考案は、以上の内容に限るものではない。接着材を塗工する方法を全面塗工より面積を小さくし、圧着カードの対向面同士の接着を弱化させて開封時の破損を防ぐものであれば、どのようなものでもよい。
【産業上の利用可能性】
【００２９】ＵＶ硬化ニスなどの接着材で圧着した紙を、同等の条件下で剥離させる場合に、本考案は、有効かつ利用可能性がある。
【符号の説明】〔図１〕
１  剥離可能な接着材
２  紙面
３  剥離不可能な接着材
４  官製葉書
５  折り目
６  左側
７  右側
〔図２〕
１  剥離可能な接着材
２  紙面
３  剥離不可能な接着材
４  官製葉書
５  折り目
【図１】
0003166640.tif 000003
【図２】
0003166640.tif 000004
【手続補正書】
【提出日】平成22年12月10日(2010.12.10)
【手続補正１】
【補正対象書類名】実用新案登録請求の範囲
【補正対象項目名】請求項１
【補正方法】変更
【補正の内容】
【請求項１】
マットコート紙等の表裏の紙面のうち、片側を剥離面とし、剥離面の表層に接着材としてＵＶ硬化ニスを塗工し、紙面を二つ折りして官製葉書と同じような外形寸法となるように圧着してできあがる圧着カードのうち、剥離面全体に対して、網目状にこのＵＶ硬化ニスを塗工した圧着カードであり、かつ、網目の形状として、網の部分にこのニスを塗工し、目の部分にはこのニスを塗工しない圧着カードであり、かつ、剥離面を内側にして二つ折りし、対向する紙面同士をプレス加工した圧着カードであり、かつ、二つ折りした外側の面と官製葉書の紙面同士を接着材により貼り合せていわゆる官製式の圧着葉書をなすための圧着カード。